(57)【特許請求の範囲】
【請求項１】
表面に同じ柄の繰り返しによるエンボスパターンが形成されると共に、折り曲げ罫線に沿って折り曲げ自在とされたシート基材を備え、
前記シート基材は、前記折り曲げ罫線に沿って形成された複数の折り目パターンを有し、
前記複数の折り目パターンは、前記エンボスパターンを分断する方向に断続的に並んで設けられており、
前記エンボスパターンは、第１の凹部の周囲を第１の凸部が囲む柄の繰り返しによって形成されており、
前記複数の折り目パターンは、第２の凹部によって形成されていることを特徴とする養生シート。
【請求項２】
前記第２の凹部を挟んだ両側には、第２の凸部が前記折り曲げ罫線に沿って形成されていることを特徴とする請求項１に記載の養生シート。
【請求項３】
前記第２の凸部は、前記第２の凹部の周囲を囲んだ状態で、前記エンボスパターンを分断する方向に連続して設けられていることを特徴とする請求項２に記載の養生シート。
【請求項４】
前記第１の凸部は、前記シート基材の短手方向及び長手方向に対して斜めに配置されていることを特徴とする請求項１〜３の何れか一項に記載の養生シート。
【請求項５】
前記折り曲げ罫線は、前記シート基材の短手方向に平行に配置されると共に、前記シート基材の長手方向に所定の間隔で並んで設けられていることを特徴とする請求項１〜４の何れか一項に記載の養生シート。
【請求項６】
前記折り曲げ罫線は、前記シート基材の長手方向に平行に配置されると共に、前記シート基材の短手方向に所定の間隔で並んで設けられていることを特徴とする請求項１〜５の何れか一項に記載の養生シート。
【請求項７】
前記シート基材は、厚紙と、前記厚紙の一面に貼り付けられると共にエンボス加工が施された樹脂フィルムと、前記厚紙の他面に貼り付けられた発泡樹脂シートとを含み、
前記エンボスパターン及び前記複数の折り目パターンは、前記エンボス加工によって前記樹脂フィルムに一体に形成されていることを特徴とする請求項１〜６の何れか一項に記載の養生シート。
【発明の詳細な説明】
【技術分野】
【０００１】
本発明は、養生シートに関する。
【背景技術】
【０００２】
例えば、建物内で荷物や資材等を搬送する際に、養生シートを建物の床面や壁面に設置し、床面や壁面を一時的に保護することが行われている（例えば、特許文献１〜４を参照。）。
【先行技術文献】
【特許文献】
【０００３】
【特許文献１】実公平７−２３４８７号公報
【特許文献２】実開平４−１０９１３８号公報
【特許文献３】特開平９−３１７１９０号公報
【特許文献４】特開２０１１−７６９号公報
【発明の概要】
【発明が解決しようとする課題】
【０００４】
ところで、床面及び壁面を養生シートで保護する場合、従来は床面用の養生シートと壁面用の養生シートとを別々に用意し、それぞれの養生シートを床面と壁面とに別々に設置している。このため、従来は施工の際に非常に手間がかかっていた。
【０００５】
そこで、１枚の養生シートを床面と壁面との間で折り曲げて設置することができれば、施工の手間を省くことができる。しかしながら、従来の養生シートは、表面全体に補強用のエンボス加工が施されている。このため、養生シートは一般的に折り曲げづらく、床面と壁面との間で養生シートを綺麗に折り曲げることが難しかった。
【０００６】
本発明は、このような従来の事情に鑑みて提案されたものであり、エンボス加工による強度を保ちつつ、折り罫線に沿って容易に折り曲げることを可能とした養生シートを提供することを目的とする。
【課題を解決するための手段】
【０００７】
上記の目的を達成するために、本発明は以下の手段を提供する。
（１）  表面に同じ柄の繰り返しによるエンボスパターンが形成されると共に、折り曲げ罫線に沿って折り曲げ自在とされたシート基材を備え、
前記シート基材は、前記折り曲げ罫線に沿って形成された複数の折り目パターンを有し、
前記複数の折り目パターンは、前記エンボスパターンを分断する方向に断続的に並んで設けられており、
前記エンボスパターンは、第１の凹部の周囲を第１の凸部が囲む柄の繰り返しによって形成されており、
前記複数の折り目パターンは、第２の凹部によって形成されていることを特徴とする養生シート。
（２）  前記第２の凹部を挟んだ両側には、第２の凸部が前記折り曲げ罫線に沿って形成されていることを特徴とする前記（１）に記載の養生シート。
（３）  前記第２の凸部は、前記第２の凹部の周囲を囲んだ状態で、前記エンボスパターンを分断する方向に連続して設けられていることを特徴とする前記（２）に記載の養生シート。
（４）  前記第１の凸部は、前記シート基材の短手方向及び長手方向に対して斜めに配置されていることを特徴とする前記（１）〜（３）の何れか一項に記載の養生シート。
（５）  前記折り曲げ罫線は、前記シート基材の短手方向に平行に配置されると共に、前記シート基材の長手方向に所定の間隔で並んで設けられていることを特徴とする前記（１）〜（４）の何れか一項に記載の養生シート。
（６）  前記折り曲げ罫線は、前記シート基材の長手方向に平行に配置されると共に、前記シート基材の短手方向に所定の間隔で並んで設けられていることを特徴とする前記（１）〜（５）の何れか一項に記載の養生シート。
（７）  前記シート基材は、厚紙と、前記厚紙の一面に貼り付けられると共にエンボス加工が施された樹脂フィルムと、前記厚紙の他面に貼り付けられた発泡樹脂シートとを含み、
前記エンボスパターン及び前記複数の折り目パターンは、前記エンボス加工によって前記樹脂フィルムに一体に形成されていることを特徴とする前記（１）〜（６）の何れか一項に記載の養生シート。
【発明の効果】
【０００８】
以上のように、本発明によれば、エンボス加工による強度を保ちつつ、折り罫線に沿って容易に折り曲げることを可能とした養生シートを提供できる。
【図面の簡単な説明】
【０００９】
【図１】本発明の一実施形態として示す養生シートの平面図である。
【図２】図１に示す養生シートの断面図である。
【図３】図１に示す養生シートの使用形態の一例を示す側面図である。
【図４】変形例として示す養生シートの平面図である。
【図５】参考例として示す養生シートの平面図である。
【発明を実施するための形態】
【００１０】
以下、本発明の実施の形態について、図面を参照して詳細に説明する。なお、以下の説明で用いる図面は、特徴をわかりやすくするために、便宜上特徴となる部分を拡大して示している場合があり、各構成要素の寸法比率などが実際と同じであるとは限らないものとする。
【００１１】
本発明の一実施形態として、例えば図１及び図２に示すような養生シート１について説明する。なお、図１は、養生シート１の構成を示す平面図である。図２は、養生シート１の構成を示す断面図である。
【００１２】
養生シート１は、図１及び図２に示すように、厚紙２と、厚紙２の一面に貼り付けられた樹脂フィルム３と、厚紙２の他面に貼り付けられた発泡樹脂シート４とを含むシート基材１０を備えている。
【００１３】
なお、厚紙２、樹脂フィルム３及び発泡樹脂シート４の材質については、特に限定されるものではなく、養生シート１として使用可能なものを適宜選択して用いればよい。例えば、本実施形態では、厚紙２に板紙、樹脂フィルム３にポリエチレンフィルム、発泡樹脂シート４に発泡ポリエチレンシートを用いている。
【００１４】
樹脂フィルム３の表面には、エンボス加工が施されることによって、同じ柄の繰り返しによるエンボスパターン５が形成されている。エンボスパターン５は、第１の凹部５ａの周囲を第１の凸部５ｂが囲む柄（本実施形態では菱形柄）の繰り返しによって形成されている。すなわち、このエンボスパターン５は、互いに平行に並ぶ帯状の第１の凸部５ｂが斜めに交差することによって、その間に菱形の第１の凹部５ａがシート基材１０の短手方向及び長手方向に等間隔に並んで形成された構成（柄）を有している。養生シート１では、このようなエンボスパターン５をシート基材１０に設けることで、このシート基材１０の曲げ強度（剛性）を高める（補強する）ことが可能である。
【００１５】
シート基材１０は、折り曲げ罫線Ｌに沿って折り曲げ自在とされている。折り曲げ罫線Ｌは、シート基材１０の短手方向（幅方向）に平行に配置されると共に、シート基材１０の長手方向（長さ方向）に所定の間隔で並んで設けられている。
【００１６】
シート基材１０は、これらの折り曲げ罫線Ｌに沿って形成された複数の折り目パターン６を有している。複数の折り目パターン６は、エンボスパターン５を分断する方向（短手方向）に断続的に並んで設けられている。すなわち、複数の折り目パターン６は、一定の間隔を空けながら折り曲げ罫線Ｌ上に並んで設けられている。
【００１７】
複数の折り目パターン６は、上述したエンボスパターン５と共に、エンボス加工によって樹脂フィルム３に一体に形成されている。具体的に、複数の折り目パターン６は、帯状の第２の凹部６ａによって形成されている。また、第２の凹部６ａを挟んだ両側には、帯状の第２の凸部６ｂが折り曲げ罫線Ｌに沿って形成されている。すなわち、第２の凹部６ａは、第２の凸部６ｂの間に位置している。
【００１８】
折り目パターン６は、互いに交差する第１の凸部５ｂの各交点を結ぶラインを避けた位置において、第１の凹部５ａを分断するように設けられている。仮に、折り目パターン６が第１の凸部５ｂの各交点を結ぶライン上に位置した場合には、シート基材１０の面上において第１の凸部５ｂが占める割合（面積）が減少することによって、シート基材１０の曲げ強度（剛性）が低下するため、好ましくない。
【００１９】
また、上記養生シート１では、各折り曲げ罫線Ｌに沿った折り曲げ位置を表示するため、シート基材１０の一面（樹脂フィルム３）に印刷等が施されている。
【００２０】
以上のような構成を有する養生シート１の使用形態の一例を図３に示す。なお、図３は、養生シート１の使用形態の一例を示す断面図である。
【００２１】
養生シート１は、ロール状に巻かれた原反から巻き出されて、所望の長さで切断して使用される。切り出された１枚の養生シート１は、図３に示すように、床面Ｆと壁面Ｗとの間で折り曲げて設置される。なお、養生シート１は、発泡樹脂シート４側を床面Ｆに向けて設置される。
【００２２】
養生シート１を折り曲げる際は、上述した折り曲げ罫線Ｌに沿ってシート基材１０を略直角に折り曲げる。このとき、複数の折り目パターン６（凹部６ａ）を起点にして、シート基材１０を折り曲げ罫線Ｌに沿って容易に折り曲げることが可能である。
【００２３】
以上のように、本実施形態では、エンボス加工により補強された養生シート１であっても、この養生シート１を折り罫線Ｌに沿って容易に折り曲げることが可能である。また、本実施形態では、この養生シート１を床面Ｆと壁面Ｗとの間で折り曲げて設置することで、従来のような養生シートを床面Ｆと壁面Ｗとに別々に設置するといった施工の手間を省くことが可能である。また、本実施形態では、床面Ｆと壁面Ｗとの間で折り曲げられた養生シート１の反発力を利用して、養生シート１を壁面Ｗに押し当てることができる。
【００２４】
なお、本発明は、上記実施形態のものに必ずしも限定されるものではなく、本発明の趣旨を逸脱しない範囲において種々の変更を加えることが可能である。
具体的に、上記養生シート１の変型例として、例えば図４に示すような養生シート１Ａを挙げることができる。なお、図４は、養生シート１Ａの構成を示す平面図である。また、以下の説明では、上記養生シート１と同等の部位については、説明を省略すると共に、図面において同じ符号を付すものとする。
【００２５】
図４に示す養生シート１Ａは、上記養生シート１とは異なる折り曲げパターン６Ａを有している。すなわち、この折り曲げパターン６Ａは、帯状の第２の凸部６ｂが第２の凹部６ａの周囲を囲んだ状態で、エンボスパターン５を分断する方向（短手方向）に第２の凸部６ｂが連続して設けられた構成を有している。すなわち、この折り曲げパターン６Ａでは、第２の凸部６ｂの内側に第２の凹部６ａが位置している。
【００２６】
以上のような構成を有する養生シート１Ａを使用した場合でも、この養生シート１Ａを折り罫線Ｌに沿って容易に折り曲げることが可能である。また、上記養生シート１と同様に、この養生シート１Ａを床面Ｆと壁面Ｗとの間で折り曲げて設置することで、従来のような養生シートを床面Ｆと壁面Ｗとに別々に設置するといった施工の手間を省くことが可能である。また、床面Ｆと壁面Ｗとの間で折り曲げられた養生シート１Ａの反発力を利用して、養生シート１Ａを壁面Ｗに押し当てることができる。
【００２７】
なお、上記養生シート１，１Ａの使用形態については、上述した床面Ｆと壁面Ｗとの間で折り曲げて設置する場合に必ずしも限定されるものではなく、様々な使用形態を取ることが可能である。その場合、使用形態に合わせて、上記養生シート１，１Ａを複数箇所（折り曲げ罫線Ｌ）で折り曲げて使用することも可能である。
【００２８】
また、上記養生シート１，１Ａについては、折り曲げずに使用することも可能である。このとき、上記折り曲げパターン６，６Ａによってシート基材１０の強度が特に弱くなることはない。
【００２９】
一方、参考例として、図５に示すような養生シート１００を例示する。なお、図５は、養生シート１００の構成を示す平面図である。また、図５では、上記養生シート１と同等の部位については、同じ符号を付している。
【００３０】
図５に示す養生シート１００は、上記養生シート１，１Ａとは異なる折り曲げパターン６Ｂを有している。すなわち、この折り曲げパターン６Ｂは、エンボスパターン５を分断する方向（短手方向）に第２の凹部６ａが連続して設けられた構成を有している。また、第２の凹部６ａを挟んだ両側に第２の凹部６ａが連続して設けられている。
【００３１】
この構成の場合、養生シート１００を折り曲げ罫線Ｌに沿って折り曲げる前から、この折り曲げパターン６Ｂによって折り曲げ強度（剛性）が低下することになる。このため、養生シート１００では、折り曲げ罫線Ｌに沿ってシート基材１０が折り曲げ易くなるものの、シート基材１０自体の強度が弱くなってしまう。
【００３２】
なお、上記養生シート１，１Ａでは、上述したエンボスパターン５が菱形柄を有する場合に限らず、例えば六角形柄や円形柄などであってもよい。この場合、各第１の凹部５ａの間に形成される第１の凸部５ｂをシート基材１０の短手方向及び長手方向に対して斜めに配置することが好ましい。これにより、シート基材１０の曲げ強度（剛性）を高めることが可能である。
【００３３】
また、折り曲げ罫線Ｌ（折り曲げパターン６，６Ａ）については、シート基材１，１Ａの短手方向（幅方向）に平行に配置された構成に限らず、シート基材１，１Ａの長手方向（長さ方向）に平行に配置された構成としてもよい。また、折り曲げ罫線Ｌ（折り曲げパターン６，６Ａ）は、シート基材１０の短手方向に所定の間隔で並んで設けられていてもよい。
【００３４】
なお、シート基材１，１Ａの長手方向（長さ方向）に平行に配置される折り曲げ罫線Ｌについては、シート基材１，１Ａの曲げ強度（剛性）に影響を与えない範囲で、上述した折り目パターン６，６Ａを連続して設けた構成としてもよい。
【符号の説明】
【００３５】
１，１Ａ…養生シート  ２…厚紙  ３…樹脂フィルム  ４…発泡樹脂シート  ５…エンボスパターン  ５ａ…第１の凹部  ５ｂ…第２の凹部  ６，６Ａ…折り目パターン  ６ａ…第１の凹部  ６ｂ…第２の凸部  １０…シート基材  Ｌ…折り曲げ罫線  Ｗ…壁面  Ｆ…床面
【図１】
0006675219.tif 000002
【図２】
0006675219.tif 000003
【図３】
0006675219.tif 000004
【図４】
0006675219.tif 000005
【図５】
0006675219.tif 000006